(57)【要約】【課題】  哺乳運動からの移行に適切な機能を有しつつ、洗浄などにおける取り扱いが容易で、組立が簡単なため、組立ミスによる液漏れのおそれのない飲料容器を提供すること。【解決手段】  開口部１１ａを備える容器本体１１と、前記開口部を開閉するために該開口部を覆うように該容器本体に装着されるアダプター１５とを有する飲料容器であって、前記アダプターが、アダプター本体１４と、該アダプター本体に設けられるスパウト部１２とを有し、前記アダプター本体と前記スパウト部とは一体に形成されていて、前記アダプター本体１４は比較的剛性の高い材料で形成されており、前記スパウト部１２が軟質材料で形成されるとともに、前記アダプター本体の一方側に偏心して配置され、前記アダプター本体の他方側には、前記スパウト部から離間して軟質材料で形成された通気部１３が設けられており、かつ、前記通気部が前記アダプター本体に一体に形成されている。【選択図】        図２
2006230731.tif 000002
【特許請求の範囲】
【請求項１】
上部に開口部を備える容器本体と、前記開口部を開閉するために該開口部を覆うように該容器本体に装着されるアダプターとを有する飲料容器であって、
前記アダプターが、アダプター本体と、該アダプター本体に設けられるスパウト部と
を有しており、
前記アダプター本体と前記スパウト部とは一体に形成されていて、
かつ、前記アダプター本体は比較的剛性の高い材料で形成されており、
前記スパウト部が軟質材料で形成されるとともに、前記アダプター本体の一方側に偏心して配置され、
前記アダプター本体の他方側には、前記スパウト部から離間して軟質材料で形成された通気部が設けられており、
かつ、前記通気部が前記アダプター本体に一体に形成されている
ことを特徴とする飲料容器。
【請求項２】
前記スパウト部と前記通気部とが一体に連結されていることを特徴とする請求項１に記載の飲料容器。
【請求項３】
前記アダプター本体を覆うフード部が設けられ、前記スパウト部先端には液体通過孔が形成されており、前記通気部が、前記アダプター本体の天面から窪むように形成されていて、前記フード部内面には、液体通過孔閉止部と、前記窪んだ通気部に入り込む通気閉止部が備えられていることを特徴とする請求項１または２のいずれかに記載の飲料容器。
【請求項４】
前記アダプター本体には、飲用開口と、通気用開口とが形成されており、前記スパウト部と前記通気部とは、前記飲用開口と、前記通気用開口とをそれぞれ覆い、かつアダプター本体の内面において一体に連結されて形成されていることを特徴とする請求項１ないし３のいずれかに記載の飲料容器。
【発明の詳細な説明】
【技術分野】
【０００１】
この発明は、飲料容器に係り、特に飲み口（スパウト）を備える飲料容器の改良に関するものである。
【背景技術】
【０００２】
哺乳期の乳幼児が使用する飲料容器では、哺乳瓶である容器本体に、柔軟な人工乳首を装着したキャップを着脱させる形式のものが広く使用されている。
柔軟な人工乳首本体と、ガラス製などの哺乳瓶の開口に着脱できる剛性に富むキャップとを組み合わせる上では、特許文献１に記載された構成のものも提案されている。
【０００３】
特許文献１に示されるキャップは、ポリプロピレンなどの比較的硬質の材料からなるキャップ本体と、エラストマーなどの軟質剛性樹脂で形成した乳首本体とを異種樹脂間で熱融着して形成されている。
このような構造を備えるため、哺乳瓶本体（図示せず）に、個々に別々に形成されたキャップと乳首本体とを装着する手間がなく、また、洗浄時も一緒に洗うことができ、使い勝手に優れている。
【０００４】
しかしながら、乳幼児が哺乳により、母乳または人工乳を摂取する時期から、これらと平行して、あるいはこれらの後に、成長に応じて果汁など他の飲用物を摂取するように段階的に移行するに当たり、人工乳首よりも多量に液体を摂取するのに適するものとして、乳幼児が口をつけて飲むための飲み口であって、人工乳首に近似した構成を有しつつ、硬めの材料で形成されたスパウト（吸い口）が必要となる。
しかし、特許文献１のものは、基本的には哺乳用であり、乳幼児が飲用中に哺乳瓶本体の内部と通気を可能にする通気孔がなく、キャップ本体２の締め付け強さを調節することで、通気を行うものであり、通気量は限られているため、乳幼児の発達に伴って飲用し難くなってしまう。
【０００５】
そこで、哺乳からの移行時期に使用することを目的として、スパウトと人工乳首を兼用する飲料容器も提案されている（特許文献２参照）。
この特許文献２に記載の飲料容器は、特殊な形態の人工乳首を備えている。
この人工乳首は柔軟な材料で形成されており、一側に偏心した位置に形成した乳頭部と、他側で膨出した規制部を備えるものである。
【０００６】
【特許文献１】特許第２７４１８６８号
【特許文献２】特開２０００−２８８号
【発明の開示】
【発明が解決しようとする課題】
【０００７】
特許文献２に示す飲料容器では、哺乳時期の乳幼児に使用する際には、乳頭部は乳幼児の哺乳窩に到達することができ、通常の哺乳瓶を使用した場合と同じように飲用することができる。
これに対して、上下を逆方向に回動させて使用すると、乳幼児の上唇が規制部の前端に当たるので、口腔への挿入深さが規制され、スパウトのように使用することができるというものである。
しかしながら、この飲料容器においては、瓶体にとりつけるためのキャップ部は、硬質の支持部と、リング状のベース部の間で人工乳首を挟む構造であるため、パーツ数が多く、洗浄などの作業が繁雑であるという欠点を有している。
また、洗浄後の組立に際しては、部品点数が多いことによる組立ミス、すなわち、締め付け不良などが生じやすく、液漏れする場合がある。
【０００８】
この発明は、上記課題を解決するためになされたものであり、哺乳運動からの移行に適切な機能を有しつつ、洗浄などにおける取り扱いが容易で、組立が簡単なため、組立ミスによる液漏れのおそれのない飲料容器を提供することを目的とする。
【課題を解決するための手段】
【０００９】
上記目的は、第１の発明にあっては、上部に開口部を備える容器本体と、前記開口部を開閉するために該開口部を覆うように該容器本体に装着されるアダプターとを有する飲料容器であって、前記アダプターが、アダプター本体と、該アダプター本体に設けられるスパウト部とを有しており、前記アダプター本体と前記スパウト部とは一体に形成されていて、かつ、前記アダプター本体は比較的剛性の高い材料で形成されており、前記スパウト部が軟質材料で形成されるとともに、前記アダプター本体の一方側に偏心して配置され、前記アダプター本体の他方側には、前記スパウト部から離間して軟質材料で形成された通気部が設けられており、かつ、前記通気部が前記アダプター本体に一体に形成されている飲料容器により、達成される。
【００１０】
第１の発明の構成によれば、比較的剛性の高い材料でなるアダプター本体に、軟質材料でなるスパウト部と、同じく軟質材料でなる通気部が一体に形成されているから、洗浄のために分解した際に部品点数が少なく、取り扱いが容易である。
しかも、異なる材料でなる部品を別々に形成している場合に、正しく組み立ててはじめて締め付けが可能となることで、シールを行うという従来構造と異なり、果たすべき機能の要請から軟質材料で形成すべき部分と、比較的剛性の高い材料で形成すべき部分を一体に形成しているので、組立ミスによる液漏れの心配がない。
また、前記通気部は、前記スパウト部から離間して形成されているので、乳幼児がスパウト部を口腔内に挿入した際に、上唇などにより、通気孔を塞いでしまうことなく、適切な通気を確保することができ、適切な流量による液体摂取を行うことができる。
【００１１】
第２の発明は、第１の発明の構成において、前記スパウト部と前記通気部とが一体に連結されていることを特徴とする。
第２の発明の構成によれば、前記スパウト部と前記通気部とが一体に連結されている。このスパウト部と通気部はともに、軟質材料で形成されるので、アダプター本体とは異種材料である。したがって、アダプター本体を第１の材料（比較的剛性の高い材料）で形成した後で、これらスパウト部と通気部を第２の材料（軟質材料）で形成しようとする場合に、これらは一体に連結されているから、これらの形成はひとつのゲートから一度の成形で形成することができる。
しかも、スパウト部と通気部とを一体に形成しているため、万一、通気部がアダプター本体から外れる等の問題があっても、スパウト部で保持され、誤嚥等のおそれがない。
【００１２】
第３の発明は、第１または第２のいずれかの発明の構成において、前記アダプター本体を覆うフード部が設けられ、前記スパウト部先端には液体通過孔が形成されており、前記通気部が、前記アダプター本体の天面から窪むように形成されていて、前記フード部内面には、液体通過孔閉止部と、前記窪んだ通気部に入り込む通気閉止部が備えられていることを特徴とする。
第３の発明の構成によれば、容器本体に液体を入れて携行する際等に、フード部を装着するだけで、スパウト部と通気部からの液漏れを確実に防止することができる。
【００１３】
第４の発明は、第１ないし３のいずれかの発明の構成において、前記アダプター本体には、飲用開口と、通気用開口とが形成されており、前記スパウト部と前記通気部とは、前記飲用開口と、前記通気用開口とをそれぞれ覆い、かつアダプター本体の内面において一体に連結されて形成されていることを特徴とする。
第４の発明の構成によれば、前記スパウト部と前記通気部が連結されていることで一度の成形で形成できるだけでなく、スパウト本体の内側で一体に連結されているので、一体成形部が強固に固定されており、損傷しにくい。
【発明を実施するための最良の形態】
【００１４】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１および図２は、本発明の実施形態に係る飲料容器の全体を示しており、図１は飲料容器のフード部を分離した状態を示す概略斜視図、図２は飲料容器のフード部を装着した状態での概略断面図である。
これらの図に示すように、飲料容器１０は、上面（上部）に開口部１１ａを有し、内部に飲料を収容することができる容器本体１１を備えている。容器本体１１は、ガラスや合成樹脂の成形品で形成されており、大きな開口１１ａを備えることにより、飲用後の洗浄や、液体の注入、内部に粉末ミルクなどをいれて調乳するなどの作業が容易になるようにされている。開口部１１ａの外周にはネジ部が形成されていて、アダプター１５のアダプター本体１４と着脱されるようになっている。
【００１６】
アダプター本体１４と、容器本体１１の間には、図２で示すように、アダプター本体１４側に装着可能とされた、シリコーンやエラストマーよりなるリング状のパッキン２７が介装されることにより、液密性が確保されている。このリング状のパッキン２７には、その円周上の２箇所において内方に突出した舌片状の凸片２８，２８が形成されている。凸片２８，２８は円周上に２箇所、互いに対向する位置に設けられることによって、摘んで着脱操作しやすく、視覚上把握し易いので、装着を忘れることを防止できる。なお、パッキン２７もアダプター本体１４に一体に形成してもよく、さらに後述するスパウト部１２や通気部１３と連続して一体に形成してもよい。
容器本体１１の底部外面には、例えば、エラストマーなどの樹脂が部分的に被覆されてなる滑り止め１６が設けられている。
【００１７】
アダプター１５は、アダプター本体１４と、スパウト部１２と、通気部１３を備えている。
アダプター本体１４は、比較的剛性の高い材料、言い換えれば硬質の材料で形成されており、例えば、ポリプロピレンやポリカーボネートなどの合成樹脂が使用されている。アダプター本体１４は、扁平な円形の蓋状もしくはキャップ状であって、特に上面（天面）が水平に形成されているとともに、その厚み方向（Ｚ方向）の寸法ができるだけ小さくなるように形成されている。アダプター本体１４の外周には、やや湾曲して、例えば、垂直な方向に対して、図２に示すように垂線に対して２５度程度の角度で斜め下方に向かって延びる一対の取っ手１７，１７が一体に形成されている。
【００１８】
図２に示すように、アダプター本体１４には、飲用開口２１と通気部開口２２の少なくとも２つの開口が形成されている。飲用開口２１は、その中心がアダプター本体１４に対して、図において右方（取っ手１７の傾き方向）にやや偏心して形成されている。この飲用開口２１にはスパウト部１２が入り込んで一体になるように成形されており、飲用対象である液体の十分な流出を確保するため、大きな開口とされている。一方、通気部開口２２は、飲用開口２１に対して、図において左方（取っ手１７の傾き方向と逆側）に離間した位置に形成されており、飲用中に飲んだ分の液体の体積に対応した空気の取り込みに必要とされる通路断面積を確保できるよう、できるだけ小さな開口とされている。
【００１９】
アダプター本体１４の飲用開口２１には、スパウト部１２が、通気部開口２２には、通気部１３とが設けられる。
スパウト部１２と通気部１３とは、帯状の連結部２３で一体に連結されており、全体として軟質の材料、例えば水添型スチレンイソプレン共重合樹脂やスチレンブチレン共重合樹脂等のエラストマーや、シリコーンなどで形成されている。
スパウト部１２は、特許文献２で本出願人が提案した特殊な形態の人工乳首とほぼ同様な外形を備えており、膨出部１２ａを備えている。
なお、スパウト部１２の形態は、スパウトとしての適切な流量や硬さを備えていれば、乳首状やストロー状等、その他の形態とされていてもよい。
【００２０】
このスパウト部１２はＡ硬度４０度程度の柔軟な材料で形成されており、一側に偏心した位置に形成した吸い口部１２ｂと、他側で膨出した膨出部１２ａを有する。スパウト部１２の先端には、液体通過孔である例えば、スリット孔１２ｃが形成されている。
通気部１３は、例えば、図２に示すように、平板な連結部２３の延長端が、同じ材料厚みを維持しつつ下方に凸とされ、上面が窪んだ通気内壁１３ａとされた断面略Ｕ字状または半球状の部分で、突出した先端に、例えばスリット状の通気孔１３ｂを有する弁体である。通気部１３は飲用に伴い、容器本体１１内の圧力が低下すると、弁体が開かれ、外部から容器本体１１内に外気を流入させるようになっている。なお、通気部１３は、弁体として機能すればよく、例えば他の移動する部材と組み合わせた弁体としてもよい。
【００２１】
アダプター本体１４と、スパウト部１２と、通気部１３部および、スパウト部１２と通気部１３部とを連結する連結部２３は、一体に形成されている。この場合、アダプター本体１４を比較的剛性の高い、言い換えれば硬い第１の合成樹材料で形成した後で、スパウト部１２と通気部１３と連結部２３とを軟質の第２の合成樹脂材料でインサート成形や二色成形することにより、全体を一体に形成している。これにより、スパウト部１２と通気部１３とは連結部２３により一体に連結されているから、ひとつのゲートから一度の成形で形成することができる。
しかも、図２に示すように、比較的柔らかい材料で形成されるスパウト部１２と通気部１３は、スパウト本体１４の内側で連結部２３により一体に連結されており、さらに、スパウト部１２と通気部１３の基端部が、それぞれ飲用開口２１と通気部開口２２を上下で挟むよう成形されているので、一体成形部が強固に固定されており、損傷しにくい。
なお、スパウト部１２と通気部１３のゲートを別々に設け、離間した位置であっても同時に成形してもよく、さらに三色成形等によりそれぞれ成形することで形成してもよい。
【００２２】
図１に示すフード部３１は、例えば全体が透明な合成樹脂により形成されており、アダプター本体１４の上面に形成された嵌合凸部２５に、フード部３１下端内面に設けられた嵌合凸部３１ａを嵌め込むことにより装着されるようになっている。
フード部３１は、全体としてドーム状であり、好ましくは天面３４が平らな面に形成されている。このため、フード部３１は図１の上下を逆にして、テーブル面などに天面３４を底面にして、自立させることができる。この天面３４の内面は、フード部３１の装着状態ではスリット孔１２ｃと当接するよう構成されており、液体通過孔閉止部として機能する。
また、フード部３１の一面には、切りかかれたような傾斜曲面３５を有している。これにより、フード部３１は、その方向性が視認される形態となっている。
【００２３】
フード部３１の傾斜曲面３５の下端付近には、凹部３３が形成されている。凹部３３の底部からは、下方に細く突出した通気閉止部３２が形成されている。この通気閉止部３２は、通気内壁１３ａと相似する断面形状であって、通気内壁１３ａよりも僅かに大きな径とされている。
一方、図３に示すように、アダプター本体１４の上面において、スパウト部１２と通気部１３とを含む軟質材料でなる領域２６の外側には、この領域２６を包囲するように、僅かな高さの段部を形成するようにして、嵌合凸部２５が設けられている。
【００２４】
この嵌合凸部２５の外形はフード部３１の底部の内周に対応して、図３に示すように一端がやや尖った楕円もしくは卵型であり、これにより、フード部３１の方向を誤ったご誤装着がされないようになっている。なお、同様の効果のため嵌合凸部２５側とフード部３１内周側とに、一方向に突出する突出部を形成して、装着方向性を規定してもよい。
図２に示すように、フード部３１は、上記嵌合凸部２５の外周株に形成した周溝と嵌合凸部３１ａとが嵌合されることで、アダプター本体１４の上に常に正しく装着される。この状態においては、通気部１３の上面の窪み部分にフード部３１の通気閉止部３２が挿入されることで、気密（液密）的に塞がれる。同時にフード部３１の天面３４の内側が、スパウト部１２の先端開口１２ｃを気密（液密）的に塞ぐようになっている。
【００２５】
本実施形態は以上のように構成されており、比較的剛性の高い材料でなるアダプター本体１４と、軟質材料でなるスパウト部１２と、同じく軟質材料でなる通気部１３が全て一体に形成されている。
このため、使用者は、洗浄の際にアダプター本体１４の容器本体１１に対するネジ部における螺合を外すだけで、スパウト部１２と通気部１３およびアダプター本体１４が一体になったアダプター１５と、パッキン２７を外すことができ、部品点数がきわめて少ないので、洗浄作業も簡単である。同様にして、組立もきわめて簡単であるから、全体として取り扱いがきわめて簡単である。
【００２６】
特に、従来構造のように、異なる材料でなる部品を別々に形成している場合に、正しく組み立ててはじめて締め付けが可能となることで、シールを行うというものと比べると、果たすべき機能の要請から軟質材料で形成すべき部分であるスパウト部１２や通気部１３と、比較的剛性の高い材料で形成すべき部分であるアダプター本体１４を一体に形成しているので、組立ミスによる液漏れの心配がない。
さらに、図１および図２に示されているように、スパウト部１２が哺乳から移行し始めた乳幼児に適切な硬さ等の形態とされており、通気部１３は、スパウト部１２から離間して形成されているので、乳幼児がスパウト部１２を口腔内に挿入した際に、上唇などにより、通気部１３を塞いでしまうことなく、飲用中に確実に通気を確保できるから、使いやすく、かつ飲用のための優れた性能を発揮することができる。
【００２７】
上述の実施形態における各構成は、必要により、その一部を省略したり、他の構成と入れ換えて、異なる構成の組み合わせのもとで実施されてもよい。
【図面の簡単な説明】
【００２８】
【図１】本発明の実施形態にかかる飲料容器の概略斜視図。
【図２】図１の飲料容器の概略断面図。
【図３】図１の飲料容器におけるフード部を外した状態の概略平面図。
【符号の説明】
【００２９】
１０・・・飲料容器、１１・・・容器本体、１２・・・スパウト部、１３・・・通気部、１４・・・アダプター本体、１５・・・アダプター、３１・・・フード部
【図１】
2006230731.tif 000003
【図２】
2006230731.tif 000004
【図３】
2006230731.tif 000005